(57)【要約】【課題】施工が容易なパネル連結式建物を提供すること。【解決手段】パネル連結式住宅１００の設計施工方法は、四周のパネル端面のうち三方が凸部を備えた凸側端面で一方が凹部を備えた凹側端面としたモジュールパネル１を使用する。モジュールパネル１の凸側端面（第４パネル端面１４）の凸部を、他方のモジュールパネル１の凹側端面（第２パネル端面１２）の凹部に差し込み相互に突き合わせて、ねじ釘等で相互に固定する。モジュールパネル１の凹側端面（第１パネル端面１１）に、連結用補強材５を挟み、他方のモジュールパネル１の凹側端面（第３パネル端面１３）を突き合わせ、ねじ釘等で相互に連結固定する。モジュールパネル１を縦横、上下左右に、連結することで、床構造体、壁構造体、天井構造体を構築できる。【選択図】図１
2019027225.tif 000002
【特許請求の範囲】
【請求項１】
建物の床、壁および天井を構築するために用いる矩形輪郭のパネルとして、四周のパネル端面のうち一方が凸部を備えた凸側端面で残りの三方が凹部を備えた凹側端面とした第１モジュールパネル、または、隣接する二方が凸部を備えた凸側端面で残りの隣接する二方が凹部を備えた凹側端面の第２モジュールパネルを用意し、
前記第１モジュールパネルを使用した床、壁、天井の施工においては、前記第１モジュールパネルの前記凸側端面に他方の前記第１モジュールパネルの前記凹側端面を突き合わせ、ねじ釘等で相互に連結固定し、前記第１モジュールパネルの前記凹側端面に、前記凹部に装着可能な寸法の連結用補強材を挟み、他方の前記第１モジュールパネルの前記凹側端面を突き合わせ、相互に連結固定して、前記第１モジュールパネルを縦横あるいは上下左右に連結して、床構造体、壁構造体あるいは天井構造体を構築し、
前記第２モジュールパネルを使用した床、壁、天井の施工においては、前記第２モジュールパネルの前記凸側端面に他方の前記第２モジュールパネルの前記凹側端面を突き合わせ、ねじ釘等で相互に連結固定して、前記第１モジュールパネルを縦横あるいは上下左右に連結して、前記床構造体、前記壁構造体あるいは前記天井構造体を構築することを特徴とするパネル連結式建物の設計施工方法。
【請求項２】
請求項１において、
前記床、壁、天井の設計段階においては、
前記第１モジュールパネルあるいは前記第２モジュールパネルを含む建材を一定の縮小倍率で縮小したミニチュア建材パーツを事前に用意し、
前記ミニチュア建材パーツのセットを用いて、希望するレイアウトに沿って前記床、前記壁および前記天井が配置されたミニチュア建物模型を製作し、
製作した前記ミニチュア建物模型に基づき、実際に建築する前記パネル連結式建物の前記床、前記壁、前記天井のレイアウトを決定するパネル連結式建物の設計施工方法。
【請求項３】
請求項２において、
前記ミニチュア建材パーツに対して、所定の積算用の単価を予め割り当てておき、
前記ミニチュア建物模型の床、壁、天井を構成している前記ミニチュア建材パーツのそれぞれの個数に前記単価のそれぞれを乗算し、乗算結果を加算して、実際の前記床、前記壁、前記天井の概略施工費用を算出するパネル連結式建物の設計施工方法。
【請求項４】
請求項１に記載のパネル連結式建物の設計施工方法に用いる前記第１モジュールパネルであって、
４本の矩形断面をした木質の第１〜第４枠材を矩形に組み合わせて構成したパネル枠と、
前記パネル枠の矩形開口に充填した断熱材と、
前記パネル枠の両側に張り付けられて、前記矩形開口を覆い隠している木質の第１、第２表面板と、
を備えており、
前記第１、第２、第３枠材は同一断面の枠材であり、
前記第４枠材は、前記第１、第２、第３枠材と同一幅寸法であるが、これらよりも厚さ寸法が大きい補強枠材であり、
前記パネル枠の四周の枠端面を第１〜第４枠端面とし、これら第１〜第４枠端面に対応する位置にある前記第１、第２表面板のそれぞれの四周の板端面を第１〜第４板端面とすると、
前記第１枠端面と前記第１板端面によって構成される第１パネル端面は、前記第１枠端面が、前記第１板端面から内側に後退して、所定深さの凹部が形成された凹側端面であり、
前記第２枠端面と前記第２板端面によって構成される第２パネル端面は、前記第２枠端面が、前記第２板端面から内側に後退して、所定深さの凹部が形成された凹側端面であり、
前記第３枠端面と前記第３板端面によって構成される第３パネル端面は、前記第３枠端面が前記３板端面から内側に後退して、所定深さの凹部が形成された凹側端面であり、
前記第４枠端面と前記第４板端面によって構成される第４パネル端面は、前記第４枠端面が前記４板端面から外側に突出して、所定高さの凸部が形成された凸側端面であり、
前記第１、第３パネル端面に沿った方向を第１方向とし、これに直交する方向を第２方向とすると、
前記第１モジュールパネルを前記第１方向に連結する場合には、一方の前記第１モジュールパネルの凹側端面である前記第２パネル端面の凹部に、他方の前記第１モジュールパネルの凸側端面である前記第４パネル端面の凸部を差し込み、これらの端面を突き合わせた状態で相互に固定可能であり、
前記第１モジュールパネルを前記第２方向に連結する場合には、一方の前記第１モジュールパネルの凹側端面である前記第１パネル端面に、連結用補強材を挟んだ状態で、他方の前記第１モジュールパネルの凹側端面である前記第３パネル端面を突き合わせ、これら第１、第３パネル端面の部分を、前記連結用補強材を介して固定可能である第１モジュールパネル。
【請求項５】
請求項４において、
前記パネル枠における前記第２枠材と前記第４枠材との間には、これらに直交する方向に木質の第５枠材が架け渡されている第１モジュールパネル。
【請求項６】
請求項１に記載のパネル連結式建物の設計施工方法に用いる前記第２モジュールパネルであって、
４本の矩形断面をした木質の第１〜第４枠材を矩形に組み合わせて構成したパネル枠と、
前記パネル枠の矩形開口に充填した断熱材と、
前記パネル枠の両側に張り付けられて、前記矩形開口を覆い隠している木質の第１、第２表面板と、
を備えており、
前記第２、第３枠材は同一断面の枠材であり、
前記第１、第４枠材は、前記第２、第３枠材と同一幅寸法であるが、これらよりも厚さ寸法が大きい補強枠材であり、
前記パネル枠の四周の枠端面を第１〜第４枠端面とし、これら第１〜第４枠端面に対応する位置にある前記第１、第２表面板のそれぞれの四周の板端面を第１〜第４板端面とすると、
前記第１枠端面と前記第１板端面によって構成される第１パネル端面は、前記第１枠端面が、前記第１板端面から外側に突出して、所定高さの凸部が形成された凸側端面であり、
前記第２枠端面と前記第２板端面によって構成される第２パネル端面は、前記第２枠端面が、前記第２板端面から内側に後退して、所定深さの凹部が形成された凹側端面であり、
前記第３枠端面と前記第３板端面によって構成される第３パネル端面は、前記第３枠端面が、前記第３板端面から内側に後退して、所定深さの凹部が形成された凹側端面であり、
前記第４枠端面と前記第４板端面によって構成される第４パネル端面は、前記第４枠端面が、前記４板端面から外側に突出して、所定高さの凸部が形成された凸側端面であり、
前記第１、第３パネル端面に沿った方向を第１方向とし、これに直交する方向を第２方向とすると、
前記第２モジュールパネルを前記第１方向に連結する場合には、一方の前記第２モジュールパネルの凸側端面である前記第１パネル端面の凸部を、他方の前記第２モジュールパネルの凹側端面である前記第３パネル端面の凹部に差し込み、これらの端面を突き合わせて相互に固定可能であり、
前記第２モジュールパネルを前記第２方向に連結する場合には、一方の前記第２モジュールパネルの凸側端面である前記第４パネル端面の凸部に、他方の前記第２モジュールパネルの凹側端面である前記第２パネル端面の凹部を差し込み、これらの端面を突き合わせて相互に固定可能である第２モジュールパネル。
【発明の詳細な説明】
【技術分野】
【０００１】
本発明は、建物の床、壁、天井（屋根）を構築するために用いるモジュールパネル、および、モジュールパネルを連結して構築される床構造体、壁構造体、天井構造体を備えたパネル連結式建物の設計施工方法に関する。
【背景技術】
【０００２】
住宅工法としては、木質パネルを用いたパネル工法が知られている。一般的なパネル工法では、建築現場において木造軸組を施工し、壁面、屋根面などに筋交い入りの木質パネルを張り付けている。非特許文献１には、現場での木造軸組の施工を不要とした壁構造の住宅を施工可能な木質パネル接着工法が記載されている。この工法では、工場生産により大型の壁パネル、屋根パネルを製作し、現場に搬入して、重機を用いて組み立て、相互に結合している。
【０００３】
一方、住宅の設計において、専門業者によって描かれた設計図等から立体的な施工後の住宅を思い描くことは、一般の人にとっては困難である。住宅メーカ、施工業者等は、施主が完成後の住宅を想像できるように、例えば、設計図に基づき完成後の住宅のミニチュア模型を製作する場合がある。特許文献１には、このために用いる建築立体模型を用いた建物設計支援システムが提案されている。
【先行技術文献】
【非特許文献】
【０００４】
【非特許文献１】https://www.misawa.co.jp/kodate/technology/mokusitu/safety/kouho/（ミサワホーム株式会社）
【特許文献】
【０００５】
【特許文献１】特開２００２−３１２４１９号公報
【発明の概要】
【発明が解決しようとする課題】
【０００６】
従来における住宅建築は、住宅を建築しようと考えている顧客(施主)が設計事務所、住宅メーカなどの設計施工業者に依頼し、設計施工者が顧客の希望に基づき設計図を描き、施工するという手順を踏んでいる。顧客が希望する間取りなどの要望は、耐力、強度などの構造上の理由により、あるいは、予算超過などの理由により、十分に反映されない場合が多い。
【０００７】
一般に、顧客は、構造に関する知識、建材、施工などの費用に関する知識を十分に持ち合わせておらず、顧客が自ら、希望する間取りなどを備えた住宅を設計することは容易ではない。また、自ら設計した住宅の建築費用の概算を専門家に頼らずに把握することも容易ではない。
【０００８】
住宅の間取り設計などを、例えば専門家の支援のもとに、顧客が自ら行うことが容易になれば、顧客の希望をより正確に反映した住宅を建築できる。また、このためには、顧客による住宅の間取り設計等を、完成後の住宅を容易に想像できる形態で行えることが望ましい。さらには、顧客は、間取りの設計・変更の過程において、専門家に確認しなくても、その建築費用の概算を容易に理解できることが望ましい。
【０００９】
本発明の目的は、このような点に鑑みて、住宅の取得を希望する顧客が自ら間取りなどを設計することが容易であり、完成後の姿および費用を理解することが容易なパネル連結式建物の設計施工方法を提案することにある。また、この目的を達成するのに適した構造のパネル連結式建物を構築するために用いるモジュールパネルを提供することにある。
【課題を解決するための手段】
【００１０】
上記の課題を解決するために、本発明のパネル連結式建物の設計施工方法では、パネル工法を採用し、そのために使用する矩形輪郭のパネルとして、四周のパネル端面のうち三方が凸部を備えた凸側端面で一方が凹部を備えた凹側端面としたモジュールパネル、または、隣接する二方が凸部を備えた凸側端面で残りの隣接する二方が凹部を備えた凹側端面のモジュールパネルを使用する。
【００１１】
施工段階においては、モジュールパネルの凸側端面に他方のモジュールパネルの凹側端面を突き合わせ、ねじ釘等で相互に連結固定する。また、モジュールパネルの凹側端面に、連結用補強材を挟み、他方のモジュールパネルの凹側端面を突き合わせ、ねじ釘等で相互に連結固定する。モジュールパネルを縦横、上下左右に、連結することで、床構造体、壁構造体および天井構造体を構築する。床、壁、天井を共通のモジュールパネルを用いて構築しているので、これらの部位を構築するために必要な建材の種類を大幅に少なくでき、簡単かつ効率良く、これらの部位を施工できる。
【００１２】
また、設計段階においては、モジュールパネル、連結用補強材などの建材を一定の縮小倍率で縮小したミニチュア建材パーツを事前に用意しておく。顧客（施主）に、ミニチュア建材パーツを用いて、希望する間取りの建物を設計してもらう。すなわち、ミニチュアモジュールパネルを、仮止め用のパーツを用いて、縦横に連結することで、希望する広さの床を設計でき、希望する位置に、ミニチュアモジュールパネルを上下左右に連結することで壁を設計でき、壁の上端において、ミニチュアモジュールパネルを縦横に連結することで天井（屋根）を設計できる。
【００１３】
床、壁、天井は共通のミニチュアモジュールパネルを使用しているので、簡単にミニチュア建物模型を製作できる。また、ミニチュアモジュールパネルの連結枚数、連結方向を調整することで、希望する建物の間取り等を設計でき、また、その設計変更も容易である。さらに、ミニチュアモジュールパネルを連結して構成したパネル連結体は所定の荷重に耐え得る構造体であるので、構造力学的な制約を受けることなく、顧客は間取り等を設計できる。さらには、組み立てたミニチュア建物模型から、顧客は、完成後の建物を容易に確認あるいは想像できる。よって、完成後の建物が、意図していたものと大きく異なるという事態は発生せず、顧客は自分の希望する間取りの建物を設計できる。
【００１４】
ミニチュア建物模型を製作するために使用したミニチュア建材パーツのそれぞれに単価を事前に設定し、その単価に、縮小倍率と同一の拡大倍率を乗算すると、実際の建材の単価になるようにしておく。あるいは、各ミニチュア建材パーツに、それらの実際の建材の単価を事前に設定しておく。一覧表の形態で、例えば、表計算ソフトウエアによって処理できるデータとして用意しておく。顧客は、設計しながら、使用するパーツの種類、数に基づき、完成後の建築費の概算を予測できる。よって、顧客は、予算を意識しながら設計することができるので、設計後の積算段階で建築費用が予算を大幅に超過し、大幅な設計変更を余儀なくされる事態を回避でき、便利である。
【図面の簡単な説明】
【００１５】
【図１】（ａ）はパネル連結式住宅の施工に用いるモジュールパネルを示す正面図、（ｂ）はその断面図、（ｃ）は（ｂ）に直交する方向の断面図である。
【図２】（ａ）はモジュールパネルの斜視図、（ｂ）はその分解斜視図である。
【図３】（ａ）〜（ｃ）はモジュールパネルを平面方向に連結する場合の説明図である。
【図４】モジュールパネルを直交する状態に連結した場合を示す説明図である。
【図５】（ａ）は半幅のモジュールパネルを示す正面図、（ｂ）はその断面図、（ｃ）は（ｂ）に直交する方向の断面図である。
【図６Ａ】パネル連結式住宅の一例を示す斜視図である。
【図６Ｂ】（ａ）はパネル連結式住宅の短辺方向の断面図であり、（ｂ）はその長辺方向の断面図である。
【図７】パネル連結式住宅の床平面図である。
【図８】（ａ）はモジュールパネルの別の例を示す正面図、（ｂ）はその断面図、（ｃ）はその（ｂ）に直交する方向の断面図、（ｄ）はその連結の仕方を示す説明図である。
【発明を実施するための形態】
【００１６】
以下に、図面を参照して、本発明を適用したパネル連結式住宅の設計施工方法の実施の形態を説明する。
【００１７】
（モジュールパネル）
図１（ａ）はパネル連結式住宅の施工に用いるモジュールパネルを示す正面図であり、図１（ｂ）はその断面図であり、図１（ｃ）は図１（ｂ）に直交する方向の断面図である。図２（ａ）はモジュールパネルの斜視図であり、図２（ｂ）はその分解斜視図である。モジュールパネル１は、住宅の床、壁および天井を構築するために共通に用いられる例えば９００ｍｍ×９００ｍｍの矩形輪郭のパネルである。モジュールパネル１は、矩形輪郭の木質のパネル枠(芯材)２と、パネル枠２内の矩形開口に充填した断熱材３と、パネル枠２の両側に張り付けて矩形開口を覆い隠している２枚の矩形輪郭の木質の表面板４から構成されている。
【００１８】
パネル枠２は、４本の矩形断面をした木質の第１〜第４枠材２１〜２４を矩形に組み合わせて構成されている。第２、第４枠材２２、２４の間には、第１、第３枠材２１、２３に平行に延びる状態で、第５枠材２５が架け渡されている。これらの枠材２１〜２５は、例えば、釘によって相互に連結固定されている。第１、第２、第３、第５枠材２１、２２、２３、２５は同一矩形断面の枠材である。第４枠材２４は、第１、第２、第３、第５枠材２１、２２、２３、２５と同一幅寸法であるが、これらよりも厚さ寸法が大きい補強枠材である。
【００１９】
２つの断熱材３は、パネル枠２とほぼ同一厚さの直方体形状をしており、パネル枠２の内側における２か所の矩形開口のそれぞれに、それらを充填する状態に装着されている。２枚の表面板４は、例えば、９ｍｍ厚の構造用合板を用いている。各表面板４は、第１〜第４枠材２１〜２４および第５枠材２５に、釘止めされている。モジュールパネル１の四周の第１〜第４パネル端面１１〜１４のそれぞれは、パネル枠２の四周の第１〜第４枠端面２１ａ〜２４ａ（第１〜第４枠材２１〜２４の外側端面）のそれぞれと、２枚の表面板４の四周の第１〜第４板端面４１〜４４のそれぞれとによって構成される。
【００２０】
第１パネル端面１１は、第１枠端面２１ａが、第１板端面４１から内側に一定幅だけ後退して、一定深さの凹部が形成された凹側端面である。同様に、第２パネル端面１２は、第２枠端面２２ａが、第２板端面４２から内側に後退して、一定深さの凹部が形成された凹側端面であり、第３パネル端面１３は、第３枠端面２３ａが第３板端面４３から内側に後退して、一定深さの凹部が形成された凹側端面である。これに対して、第４パネル端面１４は、第４枠端面２４ａが第４板端面４４から外側に一定幅だけ突出して、一定高さの凸部が形成された凸側端面である。
【００２１】
図３（ａ）〜（ｃ）はモジュールパネル１を平面方向に連結する場合の説明図である。まず、モジュールパネル１において、第１、第３パネル端面１１、１３に沿った方向を第１方向Ｈとし、これに直交する方向を第２方向Ｗとする。モジュールパネル１を第２方向Ｗに連結する場合には、図１（ｂ）、図３（ａ）、（ｂ）に示すように、一方のモジュールパネル１（１）の凹側端面である第１パネル端面１１に、連結用補強材５を挟んだ状態で、他方のモジュールパネル１（２）の凹側端面である第３パネル端面１３を突き合わせる。この状態で、第１パネル端面１１における表面板４の縁端部分を釘打ちにより連結用補強材５に連結固定し、第３パネル端面１３における表面板４の縁端部分を同様に釘打ちにより連結用補強材５に連結固定する。
【００２２】
連結用補強材５は矩形断面の部材であり、その幅寸法はパネル枠２と同一であり、その厚さ寸法は、第１、第３パネル端面１１、１３の凹部の深さの２倍よりも僅かに大きい。したがって、モジュールパネル１（１）、１（２）を第２方向Ｗに連結した状態では、図３（ｃ）に示すように、双方のモジュールパネル１（１）、１（２）のそれぞれの表面板４によって連結用補強材５が覆い隠され、フラットな表面が形成される。
【００２３】
モジュールパネル１を第１方向Ｈに連結する場合には、図１（ｃ）、図３（ａ）に示すように、一方のモジュールパネル１（１）の凸側端面である第４パネル端面１４の凸部を、他方のモジュールパネル１（３）の凹側端面である第２パネル端面１２の凹部に差し込み、これら第２、第４パネル端面１２、１４を突き合わせる。この状態で、モジュールパネル１（３）の側の表面板４の縁端部分を、釘打ちにより、モジュールパネル１（１）の側の補強枠板である厚い第４枠材２４に連結固定する。
【００２４】
補強枠板である第４枠材２４は、連結用補強材５と同一寸法の矩形断面の板である。モジュールパネル１（１）、１（３）を第１方向Ｈに連結した状態では、図３（ｃ）に示すように、双方のモジュールパネル１（１）、１（３）のそれぞれの表面板４によって第４枠材２４が覆い隠され、フラットな表面が形成される。
【００２５】
図４はモジュールパネル１を直交する状態に連結する場合を示す説明図である。例えば、建物の外壁コーナー部分を構成する場合等においては、この図に示すように、一方のモジュールパネル１（４）の凹側端面である第１パネル端面１１と、他方のモジュールパネル１（５）の凹側端面である第３パネル端面１３とを、相互に直交する状態に位置決めする。コーナー部分にできる矩形の隙間には、２種類のＬ型の平面ジョイント用コーナーパーツ６ａ、６ｂを取り付ける。平面ジョイント用コーナーパーツ６ａ、６ｂを組付けて釘打ちにより連結固定して、コーナー部分に中空角柱を構成し、ここに、双方のモジュールパネル１（４）、１（５）を釘打ちにより連結固定する。また、中空角柱の内部には、断熱材７が充填される。
【００２６】
ここで、モジュールパネル１として幅寸法あるいは高さ寸法が半分のモジュールパネルも使用される。図５（ａ）、（ｂ）は、第１方向Ｈの寸法が半分のモジュールパネル１Ａを示す正面図および断面図である。基本構成はモジュールパネル１と同一であるので、図においては対応する部位には同一の符号を付し、これらの部位の説明は省略する。
【００２７】
（パネル連結式住宅の設計施工方法）
上記のモジュールパネル１、１Ａおよび連結用補強材５を使用したパネル連結式住宅の設計施工方法の例を説明する。図６Ａはパネル連結式住宅の位置例を示す斜視図であり、壁仕上げなどの仕上げを施工する前の状態を示す。図６Ｂ（ａ）はその短辺方向の断面図であり、図６Ｂ（ｂ）はその長辺方向の断面図である。
【００２８】
パネル連結式住宅１００（以下、単に「住宅１００」と呼ぶ場合もある。）は、モジュールパネル１、１Ａ、連結用補強材５を用いて構成された床構造体１１０、外壁構造体１２０および天井構造体１３０からなる直方体形状の住宅本体部を備えている。住宅本体部は、基礎部分１４０の上に架け渡した鉄骨製の土台受け１４２の上に設置されている。住宅本体部の天井構造体１３０の上には、例えば、片流れ屋根１５０が設置されている。
【００２９】
基礎部分１４０では、例えばＲＣ独立基礎１４１を、住宅１００の外壁設置位置に沿って所定の間隔で設置し、その内側において所定の位置に設置し、Ｈ型鋼などの鉄骨製の土台受け１４２を、外壁設置位置に沿って配置して独立基礎１４１によって支持する。長辺方向に架け渡されている土台受け１４２の間には、所定の間隔で、短辺方向にスチール角パイプなどの横架材１４３を架け渡してある。また、必要に応じて、基礎部分１４０と土台受け１４２の間には、免震用のゴムなどの弾性部材１４４を装着する。基礎構造は各種の構造を採用でき、本例の構成に限定されるものではない。
【００３０】
図７はパネル連結式住宅１００の１階の平面図であり、床構造体１１０のモジュールパネル１、１Ａの割り付け例を示してある。モジュールパネル１、１Ａは、本例では、長辺方向に連結用補強材５が延びる状態に連結される。また、長辺方向に延びる一列のパネル列に対して、短辺方向に隣接するパネル列が千鳥配置となるように、配列されている。また、モジュールパネル１、１Ａでは対応できない寸法の部分が、長辺方向、短辺方向において発生することがある。この場合には、現場施工により調整用パネル１１１、１１２が連結される。調整用パネル１１１、１１２は、モジュールパネル１、１Ａと同様に、両側に連結用補強材を通し、上下に長尺の構造用合板からなる表面板を張り付け、内部に断熱材が充填された構造である。
【００３１】
外壁構造体１２０の短辺側の割り付け例は図６Ｂ（ａ）に示され、長辺側の割り付け例は図６Ｂ（ｂ）に示されている。外壁構造体１２０における下端部分は、現場施工による調整用パネル１２１が取り付けられる。調整用パネル１２１は、モジュールパネル１、１Ａと同様に、上下の連結用補強材と、これらの間に充填した断熱材と、両側に張り付けた表面板とから構成される。調整用パネル１２１の下端の連結用補強材が土台受け１４２に溶接した連結用のボルトによって土台受け１４２に固定される。また、床構造体１１０との取り合い部分には、床構造体１１０のモジュールパネル１の凹側端面の凹部に連結材１１３を取り付け、これを介して、双方が釘打ちによって連結固定されている。図示の外壁構造体１２０では、四周にそれぞれ窓枠１２５、１２６が取り付けられている。
【００３２】
天井構造体１３０のパネル割付は、基本的に床構造体１１０と同様である。天井構造体１３０は、図６Ｂ（ｂ）に示すように、外壁構造体１２０の上端部の間に短辺方向に架け渡した合板梁１３１によって支持されている。合板梁１３１は、パネル割付に沿って、その連結用補強材５の真下に位置するように通されている。また、天井構造体１３０の四周部分は、連結材１３２を介して、外壁構造体１２０の上端部に釘打ちにより連結固定されている。
【００３３】
次に、この構造のパネル連結式住宅１００の設計段階においては、モジュールパネル１、１Ａ、連結用補強材５、平面ジョイント用コーナーパーツ６ａ、６ｂ、窓枠１２５、１２６、調整用パネルを含む建材を、それぞれ一定の縮小倍率で縮小した寸法のミニチュア建材パーツと、これらのミニチュア建材パーツ同士を平面方向および直交方向に仮止め可能な仮止め用パーツを含むミニチュア建材パーツセットを用意しておく。例えば、パーツの仮止めのために磁力を利用できる。例えば、ミニチュアモジュールパネルの凹側端面と凸側端面とを異なる磁極としておけば簡単に連結できる。
【００３４】
ミニチュア建材パーツセットを用いて、施主に、希望するレイアウトに沿って床、壁および天井が配置されたミニチュア建物模型を製作してもらう。実際の住宅１００の床、壁、天井の構造体が、基本的にモジュールパネル１、１Ａから構成されるので、柱、梁を配置する場合とは異なり、ミニチュア建材パーツを用いて、実際に施工される住宅１００に対応する構造のレイアウトのミニチュア住宅模型を製作する作業を通じて、間取り等の設計が行われる。製作したミニチュア建物模型の床、壁、天井のレイアウトを変更する作業を繰り返して、施主は、実際に建築するパネル連結式建物の床、壁、天井あるいは屋根のレイアウトを決定できる（設計できる）。
【００３５】
ここで、ミニチュア建材パーツには、表計算ソフトウエアなどを用いて工事費を算出できるように、予め建築工事費積算用の単価を割り当てておく。ミニチュア建物模型の床、壁、天井を構成している各ミニチュア建材パーツの個数に、それぞれのミニチュア建材パーツに割り当てられている積算用の単価を乗算し、乗算結果を加算することで、実際の床、壁、天井の概略施工費用を算出できる。施主は、概略の工事費を確認しながら、ミニチュア建材パーツを用いて住宅のレイアウトを設計できる。
【００３６】
［モジュールパネルの別の例］
図８（ａ）〜（ｄ）は、モジュールパネル１の別の構成例を示す正面図、直交する二方向で切断した場合の各断面図および連結の仕方を示す説明図である。本例のモジュールパネル２００も、住宅などの建物の床、壁、天井を構築するために用いる矩形輪郭のパネルである。モジュールパネル２００は、細長い長方形のパネルであり、例えば、短辺が４５０ｍｍ、長辺が２７００ｍｍである。
【００３７】
４本の矩形断面をした木質の第１〜第４枠材２２１〜２２４を矩形に組み合わせて構成したパネル枠２２０と、パネル枠２２０の矩形開口に充填した断熱材２３０と、パネル枠２２０の両側面に張り付けられて、矩形開口を覆い隠している木質の第１、第２表面板２４０を備えている。パネル枠２２０において、短辺側の第２枠材２２２および長辺側の第３枠材２２３は、同一断面の枠材である。長辺側の第１枠材２２１および短辺側の第４枠材２２４は、第２、第３枠材２２２、２２３と同一幅寸法であるが、これらよりも厚さ寸法が大きい補強枠材である。
【００３８】
モジュールパネル２００の四周の第１〜第４パネル端面２１１〜２１４のそれぞれは、これら第１〜第４パネル端面２１１〜２１４に対応する位置にあるパネル枠２２０の第１〜第４枠材２２１〜２２４の第１〜第４枠端面２２１ａ〜２２４ａのそれぞれと、２枚の表面板２４０のそれぞれの四周の第１〜第４板端面２４１〜２４４のそれぞれとによって構成されている。
【００３９】
第１枠端面２２１ａと第１板端面２４１によって構成される第１パネル端面２１１は、第１枠端面２２１ａが、第１板端面２４１から外側に一定幅だけ突出して一定高さの凸部が形成された凸側端面である。第２枠端面２２２ａと第２板端面２４２によって構成される第２パネル端面２１２は、第２枠端面２２２ａが、第２板端面２４２から内側に一定幅だけ後退して、一定深さの凹部が形成された凹側端面である。第３枠端面２２３ａと第３板端面２４３によって構成される第３パネル端面２１３は、第３枠端面２２３ａが第３板端面２４３から内側に一定幅だけ後退して一定深さの凹部が形成された凹側端面である。第４枠端面２２４ａと第４板端面２４４によって構成される第４パネル端面２１４は、第４枠端面２２４ａが第４板端面２４４から外側に突出して、凸部が形成された凸側端面である。
【００４０】
第１、第３パネル端面２１１、２１３に沿った方向を第１方向Ｈとし、これに直交する方向を第２方向Ｗとする。モジュールパネル２００を第２方向Ｗに連結する場合には、図８（ｄ）に示すように、一方のモジュールパネル２００（１）の凸側端面である第１パネル端面２１１の凸部を、他方のモジュールパネル２００（２）の凹側端面である第３パネル端面２１３の凹部に差し込み、これらの端面を突き合わせて相互に固定できる。同様に、モジュールパネル２００を第１方向Ｈに連結する場合には、一方のモジュールパネル２００の凹側端面である第２パネル端面２１２の凹部に、他方のモジュールパネル（図示せず）の凸側端面である第４パネル端面２１４の凸部を差し込み、これらの端面を突き合わせて相互に固定できる。
【００４１】
本例のモジュールパネル２００を用いる場合には、モジュールパネル１、１Ａを第２方向Ｗに連結する場合に用いる連結用補強材５が不要になる。したがって、パネルを連結して床構造体、壁構造体および天井構造体を構築するための作業を効率良く行える。
【符号の説明】
【００４２】
１        モジュールパネル
１Ａ      モジュールパネル
２        パネル枠
３        断熱材
４        表面板
５        連結用補強材
６ａ      平面ジョイント用コーナーパーツ
６ｂ      平面ジョイント用コーナーパーツ
７        断熱材
１１      第１パネル端面
１２      第２パネル端面
１３      第３パネル端面
１４      第４パネル端面
２１      第１枠材
２１ａ    第１枠端面
２２      第２枠材
２２ａ    第２枠端面
２３      第３枠材
２３ａ    第３枠端面
２４      第４枠材
２４ａ    ４枠端面
２５      第５枠材
４１      第１板端面
４２      第２板端面
４３      第３板端面
４４      第４板端面
１００    住宅
１１０    床構造体
１１１    調整用パネル
１１２    調整用パネル
１１３    連結材
１２０    外壁構造体
１２１    調整用パネル
１２５    窓枠
１２６    窓枠
１３０    天井構造体
１３１    合板梁
１３２    連結材
１４０    基礎部分
１４１    ＲＣ独立基礎
１４２    土台受け
１４３    横架材
１４４    弾性部材
１５０    屋根
２００    モジュールパネル
２１１    第１パネル端面
２１２    第２パネル端面
２１３    第３パネル端面
２１４    第４パネル端面
２２０    パネル枠
２２１    第１枠材
２２１ａ  第１枠端面
２２２    第２枠材
２２２ａ  第２枠端面
２２３    第３枠材
２２３ａ  第３枠端面
２２４    第４枠材
２２４ａ  第４枠端面
２３０    断熱材
２４０    表面板
２４１    第１板端面
２４２    第２板端面
２４３    第３板端面
２４４    第４板端面
Ｈ        第１方向
Ｗ        第２方向
【図１】
2019027225.tif 000003
【図２】
2019027225.tif 000004
【図３】
2019027225.tif 000005
【図４】
2019027225.tif 000006
【図５】
2019027225.tif 000007
【図６Ａ】
2019027225.tif 000008
【図６Ｂ】
2019027225.tif 000009
【図７】
2019027225.tif 000010
【図８】
2019027225.tif 000011